【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
近位部分および遠位部分（２２ｂ）を有するシャフト（２２、６２）であって、前記遠位部分（２２ｂ）が先細り部分（２８、４８）および遠位端（２２ｃ）を含み、前記近位部分の外径は前記遠位端（２２ｃ）の外径よりも大きくなるように選択され、前記近位部分および前記遠位端（２２ｃ）は前記先細り部分（２８）によって分離される、シャフトと、
前記シャフトの近位端から前記遠位端（２２ｃ）まで延びる前記シャフト（２２、６２）の壁（３０、７０）によって画定される穴（３２）であって、前記壁（３０、７０）は前記遠位端（２２ｃ）から延びる複数の歯（２４、４４、６４）を画定する、穴と、
を備える外科手術ドリルガイド（２０、４０、６０）であって、
前記遠位端（２２ｃ）の前記壁（３０、７０）の厚さが、前記近位部分の前記壁（３０、７０）の厚さよりも大きくなるように選択される、外科手術ドリルガイド。
【請求項２】
前記シャフト（２２、６２）の前記近位端に連結されたハンドルをさらに備える、請求項１に記載のガイド。
【請求項３】
前記シャフト（２２、６２）が金属材料から成る、請求項１に記載のガイド。
【請求項４】
前記シャフト（２２、６２）の前記遠位部分（２２ｂ）は、前記近位部分の長手方向軸に対して角度付けられる、請求項１に記載のガイド。
【請求項５】
前記壁（７０）が、前記遠位部分の屈曲部の最高点で平坦なセクション（７２）を画定する、請求項４に記載のガイド。
【請求項６】
複数の前記歯（２４、６４）のうちの少なくとも一つが修正または除去されて、カニューレを通る前記ガイドの通過を容易にする、請求項４に記載のガイド。
【請求項７】
前記遠位部分は、前記穴（３２）と連通する少なくとも一つの横穴（２２ｂ’）を含む、請求項１に記載のガイド。
【請求項８】
前記先細り部分（２８、４８）が一のピースまたは複数のピースで形成される、請求項１に記載のガイド。
【請求項９】
複数の前記歯（４４）の点を横切る射影平面（Ｐ）は、前記ガイド（４０）の前記遠位端の外径に対して角度が付けられている、請求項１に記載のガイド（４０）。
【請求項１０】
前記遠位部分（２２ｂ）の内径は、前記近位部分の内径よりも小さくなるように選択される、請求項１に記載のガイド。
【請求項１１】
外科手術ドリルガイドシステム（１００）であって、
請求項１から１０のいずれか１項に記載のドリルガイドと、
前記シャフトの前記近位端から前記遠位端まで前記穴（８４）を通して延びる可撓性のドリル（９０）と、
を備える外科手術ドリルガイドシステム。
【請求項１２】
前記ドリル（９０）がニチノールを含み、
ニチノールのＡｓ温度は、前記ドリル（９０）の動作温度よりも大きくなるように選択される、請求項１１に記載のシステム。
【請求項１３】
前記ドリル（９０）がニチノールを含み、
前記ニチノールの少なくとも一部がマルテンサイト状態である、請求項１１に記載のシステム。
【請求項１４】
前記ドリル（９０）がニチノールを含み、
前記ニチノールが超弾性状態で機械加工される、請求項１１に記載のシステム。
【請求項１５】
前記ドリル（９０）は、前記シャフトの前記近位端から前記遠位部分に近位な領域まで前記穴（８４）を通って延びるシース（９２）をさらに備え、
前記シース（９２）が、前記ドリル（９０）の材料よりも剛性であるように選択される材料から成る、請求項１２に記載のシステム。
【手続補正２】
【補正対象書類名】明細書
【補正対象項目名】００２９
【補正方法】変更
【補正の内容】
【００２９】
本開示はその好ましい実施形態の参照により特に示され、記述されてきたが、当業者は、添付の請求項により定義される本出願の趣旨および範囲から逸脱することなく、その中に形態や詳細において様々な変更を行うことができることを理解するであろう。そのような変形は、本出願の範囲に含まれることが意図されている。このように、本出願の実施形態の前述の説明は、制限することを意図しておらず、むしろ、添付の特許請求によって全範囲が伝えられる。
［付記項１］
外科手術ドリルガイドであって、
近位部分および遠位部分を有するシャフトであって、前記遠位部分が先細り部分および遠位端を含み、前記近位部分の外径は前記遠位端の外径よりも大きくなるように選択され、前記近位部分および前記遠位端は前記先細り部分によって分離される、シャフトと、
前記シャフトの近位端から前記遠位端まで延びる前記シャフトの壁によって画定される穴であって、前記壁は前記遠位端から延びる複数の歯を画定する、穴と、を備え、
前記遠位端の前記壁の厚さが、前記近位部分の前記壁の厚さと同一であるか、またはそれよりも大きくなるように選択される、外科手術ドリルガイド。
［付記項２］
前記シャフトの前記近位端に連結されたハンドルをさらに備える、付記項１に記載のガイド。
［付記項３］
前記シャフトが金属材料から成る、付記項１に記載のガイド。
［付記項４］
前記シャフトの前記遠位部分は、前記近位部分の長手方向軸に対して角度付けられる、付記項１に記載のガイド。
［付記項５］
前記壁が、前記遠位部分の屈曲部の最高点で平坦なセクションを画定する、付記項４に記載のガイド。
［付記項６］
前記複数の歯のうちの少なくとも一つが修正または除去されて、カニューレを通る前記ガイドの通過を容易にする、付記項４に記載のガイド。
［付記項７］
前記遠位部分は、前記穴と連通する少なくとも一つの横穴を含む、付記項１に記載のガイド。
［付記項８］
前記先細り部分が一つのピースで形成される、付記項１に記載のガイド。
［付記項９］
前記先細り部分が複数のピースで形成される、付記項１に記載のガイド。
［付記項１０］
前記複数の歯の点を横切る射影平面は、前記ガイドの前記遠位端の外径に対して角度が付けられている、付記項１に記載のガイド。
［付記項１１］
前記遠位部分の内径は、前記近位部分の内径よりも小さくなるように選択される、付記項１に記載のガイド。
［付記項１２］
外科手術ドリルガイドシステムであって、
ドリルガイドであって、
近位部分および遠位部分を有するシャフトであって、前記遠位部分が先細り部分および遠位端を含み、前記近位部分の外径は前記遠位端の外径よりも大きくなるように選択され、前記近位部分および前記遠位端は前記先細り部分によって分離される、シャフトと、
前記シャフトの近位端から前記遠位端まで延びる前記シャフトの壁によって画定される穴であって、前記壁は前記遠位端から延びる複数の歯を画定する、穴と、を備えるドリルガイドと、
前記遠位端の前記壁の厚さが、前記近位部分の前記壁の厚さと同一であるか、またはそれよりも大きくなるように選択され、
前記シャフトの前記近位端から前記遠位端まで前記穴を通して延びる可撓性のドリルと、を備える外科手術ドリルガイドシステム。
［付記項１３］
前記ドリルがニチノールを含む、付記項１２に記載のシステム。
［付記項１４］
ニチノールのＡｓ温度は、前記ドリルの動作温度よりも大きくなるように選択される、付記項１３に記載のシステム。
［付記項１５］
前記ニチノールの少なくとも一部がマルテンサイト状態である、付記項１３に記載のシステム。
［付記項１６］
前記ニチノールが超弾性状態で機械加工される、付記項１３に記載のシステム。
［付記項１７］
前記ドリルは、前記シャフトの前記近位端から前記遠位部分に近位な領域まで前記穴を通って延びるシースをさらに備える、付記項１２に記載のシステム。
［付記項１８］
前記シースが、前記ドリルの材料よりも剛性であるように選択される材料から成る、付記項１７に記載のシステム。
［付記項１９］
前記シャフトの前記遠位部分は、前記シャフトの近前記位部分の長手方向軸に対して角度付けられる、付記項１２に記載のシステム。
［付記項２０］
前記遠位部分は、前記穴と連通する少なくとも一つの横穴を含む、付記項１２に記載のシステム。
［付記項２１］
前記先細り部分が一つのピースで形成される、付記項１２に記載のシステム。
［付記項２２］
前記先細り部分が複数のピースで形成される、付記項１２に記載のシステム。